(57)【特許請求の範囲】
【請求項１】
スキャナがホストの制御に基づいて原稿を読み取ってホストに転送し、プリンタが前記ホストから転送された画像を用紙の上下左右の端部に非画像領域が形成されるように印字を行う画像処理システムにおいて、
前記スキャナは、前記原稿の全面を読み取り、読み取ったデータを記憶手段に格納し、前記記憶手段からの読み出し時に原稿上の読み取り開始位置が前記非画像領域に対応してずれるように制御することを特徴とする画像処理システム。
【発明の詳細な説明】
【０００１】
【発明の属する技術分野】
本発明は、ホストの制御に基づいて原稿をスキャナにより読み取り、プリンタにより用紙上に出力する画像処理システムに関する。
【０００２】
【従来の技術】
従来の、ホストの制御に基づいて原稿をスキャナにより読み取り、プリンタにより用紙上に出力する画像処理システムでは、ホストがスキャナに対して原稿読み取りを指示すると、図７（ａ）（ｂ）に示すようにスキャナが原稿の原点（ｘ，ｙ）＝（０，０）から読み取りを開始して読み取り画像データをホストに転送する。そして、図７（ａ）（ｃ）に示すようにホストがプリンタに対して画像データを転送すると、プリンタは用紙の上下左右の端部に非画像領域が形成されるように、用紙の左上の角すなわち原点（ｘ，ｙ）＝（０，０）から数ｍｍ程度右下にずれた所定の印字開始時点から印字を開始する。この非画像領域はプリンタに応じて異なる。
【０００３】
【発明が解決しようとする課題】
ところで、複写機には一般的に、原稿画像を用紙上にコピーする場合に、用紙の上下左右の端部に非画像領域が設けられており、図７（ａ）（ｄ）に示すようにこの非画像領域には原稿画像は形成されない。したがって、従来の画像処理システムでは、図８に示すように原稿画像の左上の角を複写機と同じ位置の用紙上に出力することができず、原稿上の画像の位置と用紙上の画像の位置を一致させることができないという問題点がある。
【０００４】
本発明は上記従来例の問題点に鑑み、原稿上の画像の位置と用紙上の画像の位置が一致するように出力することができる画像処理システムを提供することを目的とする。
【０００５】
【課題を解決するための手段】
第１の手段は上記目的を達成するために、スキャナがホストの制御に基づいて原稿を読み取ってホストに転送し、プリンタが前記ホストから転送された画像を用紙の上下左右の端部に非画像領域が形成されるように印字を行う画像処理システムにおいて、前記スキャナは、前記原稿の全面を読み取り、読み取ったデータを記憶手段に格納し、前記記憶手段からの読み出し時に原稿上の読み取り開始位置が前記非画像領域に対応してずれるように制御することを特徴とする。
【０００９】
【発明の実施の形態】
以下、図面を参照して本発明の実施の形態を説明する。図１は本発明に係る画像処理システムの一実施形態を示す構成図、図２は図１の画像処理システムを詳しく示すブロック図、図３は第１の方法による読み取り範囲を示す説明図、図４は第２の方法による読み取り範囲を示す説明図、図５は第３の方法による読み取り範囲を示す説明図、図６は本発明による出力画像の位置を示す説明図である。
【００１０】
図１、図２において、ホストコンピュータ１と画像読み取り装置２はＳＣＳＩインタフェースやＬＡＮなどを介して接続されている。そして、ホストコンピュータ１の読み取りドライバソフトウエア１ａは、画像読み取り装置２に対して原稿読み取りを指示し、画像読み取り装置２により読み取られた画像データを取り込むことができる。また、ホストコンピュータ１と印刷装置（プリンタ）３はパラレルインタフェースなどを介して接続されている。そして、ホストコンピュータ１の印刷ドライバソフトウエア１ｂが画像読み取り装置２から取り込んだ画像データとその印刷指示を転送すると、プリンタ３は受け取った画像データを、用紙の上下左右の端部に非画像領域が形成されるように、用紙の左上の角すなわち原点（ｘ，ｙ）＝（０，０）から数ｍｍ程度右下にずれた所定の印字開始時点から印字を開始する。この印字開始時点はプリンタ３の機種に応じて異なるが、ここでは右側、下側ともに５ｍｍずれるものとして説明する。
【００１１】
図２を参照して画像読み取り装置２について詳しく説明する。コンタクトガラス１１上の原稿はランプ１２及び反射板１３により照明される。原稿の反射光は、第１ミラー１４、第２ミラー１５、第３ミラー１６により順次反射され、レンズ１７により結像されてＣＣＤ１８により読み取られる。この読み取り信号はＡ／Ｄ変換器１９によりデジタル画像データに変換され、この画像データは画像処理装置２０、メモリ２１、外部入出力装置２２を介してホストコンピュータ１に転送される。
【００１２】
ここで、この読み取り装置２は、指定された左上の読み取り開始位置、右下の読み取り終了位置がそれぞれ
（０ｍｍ，０ｍｍ）
（２１０ｍｍ，２９７ｍｍ）
の場合にＡ４原稿を左上の角から右下の角まで読み取る。読み取り装置２がこの読み取り開始位置をずらす方法として次の２つが考えられる。第１の方法では、原稿上の読み取り開始時点そのものをずらす。この方法では、ＣＣＤ１８による主走査方向の読み取り開始位置ｘと、ランプ１２、反射板１３、第１ミラー１４、第２ミラー１５、第３ミラー１６等による副走査方向の読み取り開始位置ｙをＣＰＵ２３が制御する。第２の方法では、読み取り開始位置は原稿の左上の角、すなわち（ｘ，ｙ）＝（０，０）であるが、その読み取りデータをメモリ２１に格納してメモリ読み出し時に原稿上の読み取り開始時点がずれるようにＣＰＵ２３が制御する。
【００１３】
次に読み取り開始範囲について説明する。第１の方法として、ホストコンピュータ１の読み取りドライバソフトウエア１ａに対してユーザが原稿の読み取り開始位置、読み取り終了位置としてそれぞれ
（５ｍｍ，５ｍｍ）
（２１５ｍｍ，３０２ｍｍ）
を指定し、読み取り開始を指示する。読み取りドライバソフトウエア１ａがこの読み取り開始範囲と読み取り開始を画像読み取り装置２に指示すると、図３に示すように原稿の上端と左端がともに５ｍｍのオフセット分だけ読み取られず、また、原稿の右端と下端がともに５ｍｍだけ余分に、すなわち原稿でない領域が読み取られる。
【００１４】
第２の方法として、ユーザが原稿の読み取り開始位置、読み取り終了位置としてそれぞれ
（５ｍｍ，５ｍｍ）
（２１０ｍｍ，２９７ｍｍ）
を指定し、読み取り開始を指示する。読み取りドライバソフトウエア１ａがこの読み取り開始範囲と読み取り開始を画像読み取り装置２に指示すると、図４に示すように原稿の上端と左端がともに５ｍｍのオフセット分だけ読み取られず、また、原稿の右端の角まで読み取られる。
【００１５】
第３の方法として、ユーザが原稿の読み取り開始位置、読み取り終了位置としてそれぞれ
（５ｍｍ，５ｍｍ）
（２０５ｍｍ，２９２ｍｍ）
を指定し、読み取り開始を指示する。読み取りドライバソフトウエア１ａがこの読み取り開始範囲と読み取り開始を画像読み取り装置２に指示すると、図５に示すように原稿の上端、左端、右端と下端がともに５ｍｍのオフセット分だけ読み取られない。
【００１６】
このように読み取った画像データをホストコンピュータ１の印刷ドライバソフトウエア１ｂがプリンタ３に転送し、プリンタ３が図６に示すようにＡ４サイズの用紙の上下左右の端部に非画像領域が形成されるように印字を行うと、原稿上の画像の位置と用紙上の画像の位置が一致する。
【００１７】
【発明の効果】
以上説明したように請求項１記載の発明によれば、スキャナが原稿の全面を読み取り、読み取ったデータを記憶手段に格納し、前記記憶手段からの読み出し時に前記原稿上の読み取り開始位置が前記非画像領域に対応してずれるように制御するので、原稿上の画像の位置と用紙上の画像の位置が一致するように出力することができる。
【図面の簡単な説明】
【図１】本発明に係る画像処理システムの一実施形態を示す構成図である。
【図２】図１の画像処理システムを詳しく示すブロック図である。
【図３】第１の方法による読み取り範囲を示す説明図である。
【図４】第２の方法による読み取り範囲を示す説明図である。
【図５】第３の方法による読み取り範囲を示す説明図である。
【図６】本発明による出力画像の位置を示す説明図である。
【図７】スキャナの読み取り範囲、プリンタの出力範囲及び複写機の出力範囲を示す説明図である。
【図８】従来の出力画像の位置を示す説明図である。
【符号の説明】
１  ホストコンピュータ
１ａ  読み取りドライバソフトウエア
１ｂ  印刷ドライバソフトウエア
２  画像読み取り装置
３  プリンタ
【図１】
0003667536.tif 000002
【図２】
0003667536.tif 000003
【図３】
0003667536.tif 000004
【図４】
0003667536.tif 000005
【図５】
0003667536.tif 000006
【図６】
0003667536.tif 000007
【図７】
0003667536.tif 000008
【図８】
0003667536.tif 000009